(57)【特許請求の範囲】
【請求項１】
前後方向に向けた回転支点部を設けた取付け台の上下の面に、互いの読取り面が逆方向を向くように指静脈情報取得部と掌静脈情報取得部を固定し、
前記指静脈情報取得部と前記掌静脈情報取得部の使用したい方が上側になるように前記回転支点部を中心に回転させて、下側になる使用しない方が装置内部に収容されるように停止させ、上側に停止している使用したい方の静脈情報取得部に指または掌をかざすことで、前記指静脈情報取得部または前記掌静脈情報取得部により指または掌の静脈情報を生体情報として取得することを特徴とする生体情報取得装置。
【請求項２】
取付け台の左右の端面の同位置に回転支点部を設け、この回転支点部を境にして前記取付け台の前部側に指静脈情報取得部を固定すると共に、前記取付け台の後部側に掌静脈情報取得部を固定し、
前記指静脈情報取得部と前記掌静脈情報取得部が成す角度を、自然な握り手にしたとき人差し指と掌が成す自然な角度とし、前記指静脈情報取得部と前記掌静脈情報取得部に指と手首を載せるようにして前記回転支点部を中心に前記指静脈情報取得部と前記掌静脈情報取得部を操作者の手になじむように回転させて、前記指静脈情報取得部と前記掌静脈情報取得部に指と掌をかざすことにより指及び掌のそれぞれの静脈情報を生体情報として同時に取得することを特徴とする生体情報取得装置。
【発明の詳細な説明】
【技術分野】
【０００１】
本発明は、銀行の自動化機器等において本人認証を行うための生体情報を取得する生体情報取得装置に関するものである。
【背景技術】
【０００２】
銀行の自動化機器等においては、本人認証を行うための生体情報として指静脈情報（指静脈パターン）や掌静脈情報（掌静脈パターン）を取得する生体情報取得装置が使用されている。
従来の生体情報取得装置（生体認証装置）として、例えば、特許文献１に示される装置がある。この生体情報取得装置は、回転台を介して自動化機器に取付け、この回転台により生体情報取得装置を水平方向へ回転可能とし、指や掌を水平にかざすことで生体情報を取得するものとなっている。
【０００３】
また、別の生体情報取得装置として、例えば、特許文献２に示されるように指静脈情報取得（指静脈情報検出）センサと、掌（手のひら）静脈情報取得（掌静脈情報検出）センサとを備えた装置がある。この生体情報取得装置では、指静脈情報取得センサを有する指先ガイドを移動可能に支持することで掌静脈情報取得センサとの間の距離を可変にするスライドレールと、前記指先ガイドを掌静脈情報取得センサ側に付勢するバネ部材等からなるセンサ移動機構を設けておき、指を前記指先ガイド上に載せてから、指先ガイドを掌静脈検出センサ側に移動させることで、指及び掌を、指静脈検出センサと掌静脈検出センサ上方の検出位置にセットして、指静脈情報と掌静脈情報を生体情報として同時に取得できるようにしている。
【先行技術文献】
【特許文献】
【０００４】
【特許文献１】特開２００６−２７７４２８号公報
【特許文献２】特開２００８−０５４７４７号公報
【発明の概要】
【発明が解決しようとする課題】
【０００５】
しかしながら、上述した特許文献１の装置では、指や掌を水平にかざす必要があるが、人の自然な動作では指や掌が左右に傾くことが多く、そのため指や掌を水平にかざす場合、意図的にそれを行わなければならないため、操作性が悪く、生体情報の取得エラーが生じやすいという問題がある。
【０００６】
また、特許文献２の装置では、指静脈情報取得センサと掌静脈情報取得センサ間の距離を可変にするスライドレール及びバネ部材等からなるセンサ移動機構を設けているため、生体情報取得装置が大型になり、自動化機器等の限られたスペースへの実装が困難になるだけでなく、指静脈情報取得センサと掌静脈情報取得センサが水平に配置されているため、指と掌が自然な形になる状態で静脈情報の取得ができず、操作性が悪いという問題がある。
本発明は、このような問題を解決することを課題とする。
【課題を解決するための手段】
【０００７】
そのため、本発明は、前後方向に向けた回転支点部を設けた取付け台の上下の面に、互いの読取り面が逆方向を向くように指静脈情報取得部と掌静脈情報取得部を固定し、前記指静脈情報取得部と前記掌静脈情報取得部の使用したい方が上側になるように前記回転支点部を中心に回転させて、下側になる使用しない方が装置内部に収容されるように停止させ、上側に停止している使用したい方の静脈情報取得部に指または掌をかざすことで、前記指静脈情報取得部または前記掌静脈情報取得部により指または掌の静脈情報を生体情報として取得することを特徴とする。
【発明の効果】
【０００８】
このようにした本発明は、操作者が簡単な操作で指静脈情報取得部と掌静脈情報取得部を使い分けることができるという効果が得られる。
また、従来装置のような指静脈情報取得部と掌静脈情報取得部の距離を可変にする移動機構を必要とせず、小型に構成できるので、自動化機器等の取付け対象装置の限られたスペースへの実装も容易になるという効果も得られる。
【図面の簡単な説明】
【０００９】
【図１】実施例１を示す斜視図
【図２】実施例１の作用を示す斜視図
【図３】実施例２を示す斜視図
【図４】実施例１の作用を示す斜視図
【発明を実施するための形態】
【００１０】
以下、図面を参照して本発明による生体情報取得装置の実施例を説明する。
【実施例１】
【００１１】
図1は実施例１を示す斜視図で、図において１は取付け台であり、前後の端面の同位置に回転支点部２を有している。この回転支点部２は取付け台１を貫通する軸であってもよい。
３は指静脈情報取得部で、指をかざし易くするために上面側の前後の端部をＵ字形に切欠いた形状に形成し、底部側には指の静脈情報（静脈パターン）を取得（検出）する図示しない指静脈情報取得センサを設けている。
【００１２】
４は掌静脈情報取得部で、掌（手のひら）をかざし易くするために上面側の前後の端部に形成し、底部側には掌の静脈情報（静脈パターン）を取得（検出）する図示しない指静脈情報取得センサを設けている。
指静脈情報取得部３と掌静脈情報取得部４は取付け台１の上下の面に互いの読取り面が逆方向を向くように図示しないネジ等で固定されている。
【００１３】
このように構成した生体情報取得装置は、銀行の自動化機器等の取付け対象装置のＡ部（面）に図示しない回転支点部２を中心に回転でき、かつ任意の角度に停止させて、その停止角度に保持可能なようにトルクヒンジ等によって取り付けられる。この場合、一方向への回転角度は３６０度程度とし、往復方向に回転可能とする。
【００１４】
上述した実施例１の作用について説明する。図２は実施例１の作用を示す斜視図で、  操作者が手動により、指静脈情報取得部３と掌静脈情報取得部４のいずれかが上側になるように回転支点部２を中心に回転させる。
【００１５】
例えば、図１に示したように指静脈情報取得部３が上側にあり、掌静脈情報取得部４が下側にある状態で、掌静脈情報取得部４を使用したい場合、図２に示したように掌静脈情報取得部４が上側になるように回転支点部２を中心に右または左に回転させ、掌静脈情報取得部４の読取り面が所望の角度で上向きになったとき、回転を停止させる。この状態で、掌静脈情報取得部４の上面側の前後の端部に指の付け根側の部分と手首側の部分を載せるようにして掌をかざすと、掌静脈情報取得部４の底部側に設けた図示しない掌静脈情報取得センサが掌の静脈情報（静脈パターン）を取得（検出）する。
【００１６】
また、図２に示したように掌静脈情報取得部４が上側にあり、指静脈情報取得部３が下側にある状態で、指静脈情報取得部３を使用したい場合は、図１に示したように指静脈情報取得部３が上側になるように回転支点部２を中心に右または左に回転させ、指静脈情報取得部３の読取り面が所望の角度で上向きになったとき、回転を停止させる。この状態で指静脈情報取得部３の上面側の前後の端部に例えば人差し指を載せるようしてかざすと、指静脈情報取得部３の底部側に設けた図示しない指静脈情報取得センサが人差し指の静脈情報（静脈パターン）を取得（検出）する。
このように操作者が指静脈情報取得部３と掌静脈情報取得部４のいずれかが上側になるように回転支点部２を中心に回転させ、指静脈情報取得部３や掌静脈情報取得部４に指や掌をかざすことによりそれぞれの静脈情報を生体情報として取得することができる。
【００１７】
以上説明したように実施例１では、前後に回転中心となる回転支点部を設けた取付け台の上下の面に互いの読取り面が逆方向を向くように指静脈情報取得部と掌静脈情報取得部を固定した構成として、指静脈情報取得部と掌静脈情報取得部の使用したい方が上側になるように回転させ、所望の角度に停止させて指や掌をかざすことで、指や掌の静脈情報を生体情報として取得することができるようにしているため、操作者が簡単な操作で指静脈情報取得部と掌静脈情報取得部を使い分けることができ、自然な動作で生体情報の取得が行われるので、操作性が向上し、正常な生体情報を確実に取得できるので、生体情報の取得エラーを減少させることができるという効果が得られる。
また、実施例１では、従来装置のような指静脈情報取得部と掌静脈情報取得部の距離を可変にする移動機構を必要とせず、小型に構成できるので、自動化機器等の取付け対象装置の限られたスペースへの実装も容易になるという効果も得られる。
【実施例２】
【００１８】
図３は実施例２を示す斜視図で、この実施例２は取付け台１の左右の端面の同位置に回転支点部２を設け、この回転支点部２を境にして取付け台１の前部側に指静脈情報取得部３をネジ等で固定すると共に、取付け台１の後部側に掌静脈情報取得部４を指静脈情報取得部３に対して所定の角度（鈍角）を成すようにネジ等で固定したものとなっている。この指静脈情報取得部３と掌静脈情報取得部４が成す角度は鈍角であり、より具体的には親指と人差し指以外の指を軽く曲げたときつまり自然な握り手にしたとき人差し指と掌が成す角度とする。
【００１９】
この実施例２においても回転支点部２が取付け台１を貫通する軸であってもよい。
また、指静脈情報取得部３は、指をかざし易くするために上面側の前後の端部をＵ字形に切欠いた形状に形成し、底部側には指の静脈情報（静脈パターン）を取得（検出）する図示しない指静脈情報取得センサを設けているもので、掌静脈情報取得部４は、掌（手のひら）をかざし易くするために上面側の前後の端部に形成し、底部側には掌の静脈情報（静脈パターン）を取得（検出）する図示しない指静脈情報取得センサを設けている。
【００２０】
このように構成した生体情報取得装置は、回転支点部２を中心に回転でき、かつ任意の角度に停止させて、その停止角度に保持可能なように銀行の自動化機器等の取付け対象装置トルクヒンジ等によって取り付けられる。
【００２１】
上述した実施例２の作用について説明する。図４は実施例２の作用を示す斜視図で、 操作者が自身の手５を自然な握り手の状態で、指静脈情報取得部３の上面側の前後の端部に例えば人差し指を載せるようにしてかざすと共に、掌静脈情報取得部４の上面側の前後の端部に指の付け根側の部分と手首側の部分を載せるようにして掌をかざすと、指静脈情報取得部３と掌静脈情報取得部４が操作者の手になじむように回転支点部２を中心に回転する。そして、この状態で指静脈情報取得部３の底部側に設けた図示しない指静脈情報取得センサが人差し指の静脈情報（静脈パターン）を取得（検出）し、同時に掌静脈情報取得部４の底部側に設けた図示しない掌静脈情報取得センサが掌の静脈情報（静脈パターン）を取得（検出）する。
【００２２】
このように操作者が自然な握り手の状態で指静脈情報取得部３と掌静脈情報取得部４に指と掌をかざすことにより指や掌のそれぞれの静脈情報を生体情報として同時に取得することができる。
【００２３】
以上説明したように実施例２では、取付け台の左右の端面の同位置に回転支点部を設け、この回転支点部を境にして取付け台の前部側に指静脈情報取得部を固定すると共に、取付け台の後部側に掌静脈情報取得部を固定し、指静脈情報取得部と掌静脈情報取得部が成す角度を、自然な握り手にしたとき人差し指と掌が成す自然な角度にする構成として、自然な握り手の状態で指静脈情報取得部と掌静脈情報取得部に指と掌をかざすことにより指や掌のそれぞれの静脈情報を生体情報として同時に取得することができるようにしているため、操作者の簡単な操作と、自然な動作で生体情報の取得が行われることになり、これにより操作性が向上し、正常な生体情報を確実に取得できるので、生体情報の取得エラーを減少させることができるという効果が得られる。
【００２４】
また、実施例２でも、従来装置のような指静脈情報取得部と掌静脈情報取得部の距離を可変にする移動機構を必要とせず、小型に構成できるので、自動化機器等の取付け対象装置の限られたスペースへの実装も容易になるという効果も得られ、更に移動機構による移動を行わないため、生体情報の取得にかかる時間を短縮できるという効果も得られる。
【００２５】
また、指静脈情報取得部と掌静脈情報取得部を左右の手で使い分ける際に、指静脈情報取得部と掌静脈情報取得部にかざす握り手形状を区別する必要がなく、どちらの手であっても同一の自然な握り手形状にて、常に最適な状態での静脈情報の取得が可能になるという効果も得られる。
【符号の説明】
【００２６】
１    取付け台
２    回転支点部
３    指静脈情報取得部
４    掌静脈情報取得部
５    手
【図１】
0005664288.tif 000002
【図２】
0005664288.tif 000003
【図３】
0005664288.tif 000004
【図４】
0005664288.tif 000005